(57)【要約】【課題】気象に応じて変化する健康状態を通知する健康注意報を、的確なタイミングで会員宛に提供する疾患症状予測サーバの実現。【解決手段】バイオウェザー・サーバ５０は、気象条件の影響を受ける疾患に対応付けて、気象条件から疾患の症状レベルを算出する予測式を記憶している予測条件データベース５４と、会員ＩＤに対応付けて、当該会員が罹患している疾患の種類と当該会員のメールアドレスとを記憶している会員データベース５８とを有する。さらに、気象条件を取得し、予測条件データベース５４から取得する予測式と気象条件とを用いて疾患の症状レベルを算出する症状予測部５２と、算出された症状レベルが予め定められた注意レベル以上である場合に、当該疾患に対応する会員ＩＤ及びメールアドレスを抽出し、当該疾患の症状が悪化するリスクが高まった旨の健康注意報を送信する健康注意報発信部５６とを有する。【選択図】図２
2005063456.tif 000002
【特許請求の範囲】
【請求項１】
会員が罹患している疾患の症状を予測する疾患症状予測サーバであって、
気象条件の影響を受ける疾患の種類に対応付けて、前記気象条件から前記疾患の症状レベルを算出する予測式を記憶している予測条件データベースと、
前記会員を識別する会員ＩＤに対応付けて、当該会員が罹患している疾患の種類、当該会員のメールアドレス、当該会員が住む地域、および、前記会員が配送を希望する医薬品又は医療用具を記憶している会員データベースと、
前記会員が住む地域の前記気象条件を気象予報サーバから取得し、前記予測条件データベースに記憶されている前記予測式と前記気象条件とを用いて、前記疾患の前記症状レベルを算出する症状予測部と、
前記症状予測部により算出された前記症状レベルが予め定められた注意レベル以上である場合に、該当する疾患に対応付けられている前記会員ＩＤ及び前記メールアドレスを前記会員データベースから抽出し、当該メールアドレス宛に、前記会員の前記疾患に関する症状が悪化するリスクが高まった旨の健康注意報を送信し、かつ、前記抽出した前記会員ＩＤに対応する前記医薬品又は医療用具を前記会員データベースから更に読み出す健康注意報発信部と、
外部の配送センターを事前に登録しており、当該医薬品又は医療用具を前記健康注意発信部により抽出された前記会員ＩＤの会員に配送する指示を、前記配送センターに送信する配送管理部と
を備える疾患症状予測サーバ。
【請求項２】
会員が罹患している疾患の症状を予測する疾患症状予測サーバであって、
気象条件の影響を受ける疾患の種類に対応付けて、前記気象条件から前記疾患の症状レベルを算出する予測式を記憶している予測条件データベースと、
前記会員を識別する会員ＩＤに対応付けて、当該会員が罹患している疾患の種類、当該会員のメールアドレスおよび当該会員が住む地域を記憶している会員データベースと、
前記会員が住む地域の前記気象条件を気象予報サーバから取得し、前記予測条件データベースに記憶されている前記予測式と前記気象条件とを用いて、前記疾患の前記症状レベルを算出する症状予測部と、
休日診療又は夜間診療を行う医療機関を地域、診療予定日および医療機関のメールアドレスに対応付けて格納している休日・夜間医療機関データベースと、
前記症状予測部により算出された前記症状レベルが予め定められた注意レベル以上である場合に、該当する疾患に対応付けられている前記会員ＩＤ及び前記メールアドレスを前記会員データベースから抽出し、当該メールアドレス宛に、前記会員の前記疾患に関する症状が悪化するリスクが高まった旨の健康注意報を送信し、かつ、前記会員データベースから抽出した地域と現在の日付に基づき、前記会員が住む地域において今後一定期間内における休日診療又は夜間診療を行う前記医療機関を前記休日・夜間医療機関データベースから読み出し、読み出した前記医療機関を前記健康注意報とともに、前記会員のメールアドレス及び前記医療機関のメールアドレス宛に送信する健康注意報発信部と
を備える疾患症状予測サーバ。
【請求項３】
会員が罹患している疾患の症状を予測する疾患症状予測サーバと、前記会員に関する電子カルテを管理している医療機関サーバとを、ネットワーク経由で接続して備えた疾患症状予測システムであって、
前記疾患症状予測サーバは、
気象条件の影響を受ける疾患の種類に対応付けて、前記気象条件から前記疾患の症状レベルを算出する予測式を記憶している予測条件データベースと、
前記会員を識別する会員ＩＤに対応付けて、当該会員が罹患している疾患の種類と、当該会員のメールアドレスと、前記医療機関サーバのメールアドレスと、当該会員が住む地域とを記憶している会員データベースと、
前記会員が住む地域の前記気象条件を気象予報サーバから取得し、前記予測条件データベースに記憶されている前記予測式と前記気象条件とを用いて、前記疾患の前記症状レベルを算出する症状予測部と、
算出された前記症状レベルが予め定められた注意レベル以上である場合に、該当する疾患に対応付けられている前記会員ＩＤ、前記会員の前記メールアドレス、及び前記医療機関サーバの前記メールアドレスを前記会員データベースから抽出し、双方の前記メールアドレス宛に、前記会員の前記疾患に関する症状が悪化するリスクが高まった旨の健康注意報を送信する健康注意報発信部と
を備え、
前記医療機関サーバは、
前記会員ＩＤに対応付けて、当該会員の前記電子カルテを格納している患者データベースと、
前記疾患症状予測サーバから受信する前記健康注意報の対象である前記会員のメールアドレス宛に、当該医療機関の受診案内を送信すると共に、当該健康注意報に対応付けられている前記会員ＩＤを検索キーとして、前記電子カルテを前記患者データベースから読み出し、当該電子カルテを前記医療機関での診察に利用される診察用端末に送信する患者情報出力部と
を有する疾患症状予測システム。
【請求項４】
コンピュータを用いて、会員が罹患している疾患の症状を予測する疾患症状予測方法であって、前記コンピュータが、
気象条件の影響を受ける疾患の種類に対応付けて、前記気象条件から前記疾患の症状レベルを算出する予測式を予測条件データベースに記憶するステップと、
前記会員を識別する会員ＩＤに対応付けて、当該会員が罹患している疾患の種類、当該会員のメールアドレス、当該会員が住む地域、および、前記会員が配送を希望する医薬品又は医療用具を会員データベースに記憶するステップと、
前記会員が住む地域の前記気象条件を気象予報サーバから取得し、前記予測条件データベースに記憶されている前記予測式と前記気象条件とを用いて前記疾患の前記症状レベルを算出するステップと、
算出した前記症状レベルが予め定められた注意レベル以上である場合に、該当する疾患に対応付けられている前記会員ＩＤ及び前記メールアドレスを前記会員データベースから抽出し、当該メールアドレス宛に、前記会員の前記疾患に関する症状が悪化するリスクが高まった旨の健康注意報を送信するステップと、
前記抽出した前記会員ＩＤに対応する前記医薬品又は医療用具を前記会員データベースから更に読み出し、
外部の配送センターを事前に登録しており、当該医薬品又は医療用具を前記会員に配送する指示を、前記配送センターに送信するステップと
を備える疾患症状予測方法。
【請求項５】
コンピュータを用いて、会員が罹患している疾患の症状を予測する疾患症状予測方法であって、前記コンピュータが、
気象条件の影響を受ける疾患の種類に対応付けて、前記気象条件から前記疾患の症状レベルを算出する予測式を予測条件データベースに記憶するステップと、
前記会員を識別する会員ＩＤに対応付けて、当該会員が罹患している疾患の種類、当該会員のメールアドレス、当該会員が住む地域、および、前記会員が配送を希望する医薬品又は医療用具を会員データベースに記憶するステップと、
休日診療又は夜間診療を行う医療機関を地域、診療予定日および医療機関のメールアドレスに対応付けて休日・夜間医療機関データベースに格納するステップと、
前記会員が住む地域の前記気象条件を気象予報サーバから取得し、前記予測条件データベースに記憶されている前記予測式と前記気象条件とを用いて前記疾患の前記症状レベルを算出するステップと、
算出した前記症状レベルが予め定められた注意レベル以上である場合に、該当する疾患に対応付けられている前記会員ＩＤ及び前記メールアドレスを前記会員データベースから抽出し、当該メールアドレス宛に、前記会員の前記疾患に関する症状が悪化するリスクが高まった旨の健康注意報を送信するステップと、
前記会員データベースから抽出した地域と現在の日付に基づき、前記会員が住む地域において今後一定期間内における休日診療又は夜間診療を行う前記医療機関を前記休日・夜間医療機関データベースから読み出し、読み出した前記医療機関を前記健康注意報とともに、前記会員のメールアドレス及び前記医療機関のメールアドレス宛に送信するステップと
を備える疾患症状予測方法。
【請求項６】
会員が罹患している疾患の症状を予測するコンピュータ用のプログラムであって、
気象条件の影響を受ける疾患の種類に対応付けて、前記気象条件から前記疾患の症状レベルを算出する予測式を記憶する予測条件管理機能と、
前記会員を識別する会員ＩＤに対応付けて、当該会員が罹患している疾患の種類、当該会員のメールアドレス、当該会員が住む地域、および、前記会員が配送を希望する医薬品又は医療用具を記憶する会員管理機能と、
前記会員が住む地域の前記気象条件を気象予報サーバから取得し、前記予測条件管理機能により記憶されている前記予測式と前記気象条件とを用いて、前記疾患の前記症状レベルを算出する症状予測機能と、
前記症状予測機能により算出された前記症状レベルが予め定められた注意レベル以上である場合に、該当する疾患に対応付けられている前記会員ＩＤ及び前記メールアドレスを抽出し、当該メールアドレス宛に、前記会員の前記疾患に関する症状が悪化するリスクが高まった旨の健康注意報を送信し、かつ、前記抽出した前記会員ＩＤに対応する前記医薬品又は医療用具を前記会員管理機能から更に読み出す健康注意報発信機能と、
外部の配送センターを事前に登録しており、当該医薬品又は医療用具を前記健康中発信機能により抽出されれた前記会員ＩＤの会員に配送する指示を、前記配送センターに送信する配送管理機能と
を前記コンピュータに実現させるプログラム。
【請求項７】
会員が罹患している疾患の症状を予測するコンピュータ用のプログラムであって、
気象条件の影響を受ける疾患の種類に対応付けて、前記気象条件から前記疾患の症状レベルを算出する予測式を記憶する予測条件管理機能と、
前記会員を識別する会員ＩＤに対応付けて、当該会員が罹患している疾患の種類、当該会員のメールアドレス、当該会員が住む地域、および、前記会員が配送を希望する医薬品又は医療用具を記憶する会員管理機能と、
前記会員が住む地域の前記気象条件を気象予報サーバから取得し、前記予測条件管理機能により記憶されている前記予測式と前記気象条件とを用いて、前記疾患の前記症状レベルを算出する症状予測機能と、
休日診療又は夜間診療を行う医療機関を地域、診療予定日および医療機関のメールアドレスに対応付けて格納している休日・夜間医療機関管理機能と、
前記症状予測機能により算出された前記症状レベルが予め定められた注意レベル以上である場合に、該当する疾患に対応付けられている前記会員ＩＤ及び前記メールアドレスを抽出し、当該メールアドレス宛に、前記会員の前記疾患に関する症状が悪化するリスクが高まった旨の健康注意報を送信し、かつ、前記会員管理機能から抽出した地域と現在の日付に基づき、前記会員が住む地域において今後一定期間内における休日診療又は夜間診療を行う前記医療機関を前記休日・夜間医療機関管理機能から読み出し、読み出した前記医療機関を前記健康注意報とともに、前記会員のメールアドレス及び前記医療機関のメールアドレス宛に送信する健康注意報発信機能と
を前記コンピュータに実現させるプログラム。
【発明の詳細な説明】
【技術分野】
【０００１】
本発明は、会員が罹患している疾患の症状を予測する疾患症状予測サーバ、疾患症状予測システム、疾患症状予測方法、及びプログラムに関する。
【背景技術】
【０００２】
従来、気象の変動予測に基づいて人々の健康状態を予測するバイオウェザーサービスが実施されている（例えば、非特許文献１）。
【非特許文献１】”バイオウェザーサービス”［ｏｎｌｉｎｅ］、国土環境株式会社、［２００３年６月２７日検索］、インターネット＜ＵＲＬ：ｈｔｔｐ：／／ｗｗｗ．ｂｉｏｗｅａｔｈｅｒ．ｎｅｔ＞
【発明の開示】
【発明が解決しようとする課題】
【０００３】
しかしながら、従来のバイオウェザーサービスは、様々な疾患に関する健康状態の予測を、一括してホームページに掲載しているので、個人毎の症状に合った情報を的確なタイミングで個人宛に提供することができないという課題があった。
【課題を解決するための手段】
【０００４】
上記課題を解決するために、本発明の第１の形態によれば、会員が罹患している疾患の症状を予測する疾患症状予測サーバであって、気象条件の影響を受ける疾患の種類に対応付けて、気象条件から疾患の症状レベルを算出する予測式を記憶している予測条件データベースと、会員を識別する会員ＩＤに対応付けて、当該会員が罹患している疾患の種類、当該会員のメールアドレス、当該会員が住む地域、および、会員が配送を希望する医薬品又は医療用具を記憶している会員データベースと、会員が住む地域の気象条件を気象予報サーバから取得し、予測条件データベースに記憶されている予測式と気象条件とを用いて、疾患の症状レベルを算出する症状予測部と、症状予測部により算出された症状レベルが予め定められた注意レベル以上である場合に、該当する疾患に対応付けられている会員ＩＤ及びメールアドレスを会員データベースから抽出し、当該メールアドレス宛に、会員の疾患に関する症状が悪化するリスクが高まった旨の健康注意報を送信し、かつ、抽出した会員ＩＤに対応する医薬品又は医療用具を会員データベースから更に読み出す健康注意報発信部と、外部の配送センターを事前に登録しており、当該医薬品又は医療用具を健康注意発信部により抽出された会員ＩＤの会員に配送する指示を、配送センターに送信する配送管理部とを備える。
【０００５】
本発明の第２の形態によれば、会員が罹患している疾患の症状を予測する疾患症状予測サーバであって、気象条件の影響を受ける疾患の種類に対応付けて、気象条件から疾患の症状レベルを算出する予測式を記憶している予測条件データベースと、会員を識別する会員ＩＤに対応付けて、当該会員が罹患している疾患の種類、当該会員のメールアドレスおよび当該会員が住む地域を記憶している会員データベースと、会員が住む地域の気象条件を気象予報サーバから取得し、予測条件データベースに記憶されている予測式と気象条件とを用いて、疾患の症状レベルを算出する症状予測部と、休日診療又は夜間診療を行う医療機関を地域、診療予定日および医療機関のメールアドレスに対応付けて格納している休日・夜間医療機関データベースと、症状予測部により算出された症状レベルが予め定められた注意レベル以上である場合に、該当する疾患に対応付けられている会員ＩＤ及びメールアドレスを会員データベースから抽出し、当該メールアドレス宛に、会員の疾患に関する症状が悪化するリスクが高まった旨の健康注意報を送信し、かつ、会員データベースから抽出した地域と現在の日付に基づき、会員が住む地域において今後一定期間内における休日診療又は夜間診療を行う医療機関を休日・夜間医療機関データベースから読み出し、読み出した医療機関を健康注意報とともに、会員のメールアドレス及び医療機関のメールアドレス宛に送信する健康注意報発信部とを備える。
【０００６】
本発明の第３の形態によれば、会員が罹患している疾患の症状を予測する疾患症状予測サーバと、会員に関する電子カルテを管理している医療機関サーバとを、ネットワーク経由で接続して備えた疾患症状予測システムであって、疾患症状予測サーバは、気象条件の影響を受ける疾患の種類に対応付けて、気象条件から疾患の症状レベルを算出する予測式を記憶している予測条件データベースと、会員を識別する会員ＩＤに対応付けて、当該会員が罹患している疾患の種類と、当該会員のメールアドレスと、医療機関サーバのメールアドレスと、当該会員が住む地域とを記憶している会員データベースと、会員が住む地域の気象条件を気象予報サーバから取得し、予測条件データベースに記憶されている予測式と気象条件とを用いて、疾患の症状レベルを算出する症状予測部と、算出された症状レベルが予め定められた注意レベル以上である場合に、該当する疾患に対応付けられている会員ＩＤ、会員のメールアドレス、及び医療機関サーバのメールアドレスを会員データベースから抽出し、双方のメールアドレス宛に、会員の疾患に関する症状が悪化するリスクが高まった旨の健康注意報を送信する健康注意報発信部とを備え、医療機関サーバは、会員ＩＤに対応付けて、当該会員の電子カルテを格納している患者データベースと、疾患症状予測サーバから受信する健康注意報の対象である会員のメールアドレス宛に、当該医療機関の受診案内を送信すると共に、当該健康注意報に対応付けられている会員ＩＤを検索キーとして、電子カルテを患者データベースから読み出し、当該電子カルテを医療機関での診察に利用される診察用端末に送信する患者情報出力部とを有する。
【０００７】
本発明の第４の形態によれば、コンピュータを用いて、会員が罹患している疾患の症状を予測する疾患症状予測方法であって、コンピュータが、気象条件の影響を受ける疾患の種類に対応付けて、気象条件から疾患の症状レベルを算出する予測式を予測条件データベースに記憶するステップと、会員を識別する会員ＩＤに対応付けて、当該会員が罹患している疾患の種類、当該会員のメールアドレス、当該会員が住む地域、および、会員が配送を希望する医薬品又は医療用具を会員データベースに記憶するステップと、会員が住む地域の気象条件を気象予報サーバから取得し、予測条件データベースに記憶されている予測式と気象条件とを用いて疾患の症状レベルを算出するステップと、算出した症状レベルが予め定められた注意レベル以上である場合に、該当する疾患に対応付けられている会員ＩＤ及びメールアドレスを会員データベースから抽出し、当該メールアドレス宛に、会員の疾患に関する症状が悪化するリスクが高まった旨の健康注意報を送信するステップと、抽出した会員ＩＤに対応する医薬品又は医療用具を会員データベースから更に読み出し、外部の配送センターを事前に登録しており、当該医薬品又は医療用具を会員に配送する指示を、配送センターに送信するステップとを備える。
【０００８】
本発明の第５の形態によれば、コンピュータを用いて、会員が罹患している疾患の症状を予測する疾患症状予測方法であって、コンピュータが、気象条件の影響を受ける疾患の種類に対応付けて、気象条件から疾患の症状レベルを算出する予測式を予測条件データベースに記憶するステップと、会員を識別する会員ＩＤに対応付けて、当該会員が罹患している疾患の種類、当該会員のメールアドレス、当該会員が住む地域、および、会員が配送を希望する医薬品又は医療用具を会員データベースに記憶するステップと、休日診療又は夜間診療を行う医療機関を地域、診療予定日および医療機関のメールアドレスに対応付けて休日・夜間医療機関データベースに格納するステップと、会員が住む地域の気象条件を気象予報サーバから取得し、予測条件データベースに記憶されている予測式と気象条件とを用いて疾患の症状レベルを算出するステップと、算出した症状レベルが予め定められた注意レベル以上である場合に、該当する疾患に対応付けられている会員ＩＤ及びメールアドレスを会員データベースから抽出し、当該メールアドレス宛に、会員の疾患に関する症状が悪化するリスクが高まった旨の健康注意報を送信するステップと、会員データベースから抽出した地域と現在の日付に基づき、会員が住む地域において今後一定期間内における休日診療又は夜間診療を行う医療機関を休日・夜間医療機関データベースから読み出し、読み出した医療機関を健康注意報とともに、会員のメールアドレス及び医療機関のメールアドレス宛に送信するステップとを備える。
【０００９】
本発明の第６の形態によれば、会員が罹患している疾患の症状を予測するコンピュータ用のプログラムであって、気象条件の影響を受ける疾患の種類に対応付けて、気象条件から疾患の症状レベルを算出する予測式を記憶する予測条件管理機能と、会員を識別する会員ＩＤに対応付けて、当該会員が罹患している疾患の種類、当該会員のメールアドレス、当該会員が住む地域、および、会員が配送を希望する医薬品又は医療用具を記憶する会員管理機能と、会員が住む地域の気象条件を気象予報サーバから取得し、予測条件管理機能により記憶されている予測式と気象条件とを用いて、疾患の症状レベルを算出する症状予測機能と、症状予測機能により算出された症状レベルが予め定められた注意レベル以上である場合に、該当する疾患に対応付けられている会員ＩＤ及びメールアドレスを抽出し、当該メールアドレス宛に、会員の疾患に関する症状が悪化するリスクが高まった旨の健康注意報を送信し、かつ、抽出した会員ＩＤに対応する医薬品又は医療用具を会員管理機能から更に読み出す健康注意報発信機能と、外部の配送センターを事前に登録しており、当該医薬品又は医療用具を健康中発信機能により抽出された会員ＩＤの会員に配送する指示を、配送センターに送信する配送管理機能とをコンピュータに実現させる。
【００１０】
本発明の第７の形態であって、会員が罹患している疾患の症状を予測するコンピュータ用のプログラムであって、気象条件の影響を受ける疾患の種類に対応付けて、気象条件から疾患の症状レベルを算出する予測式を記憶する予測条件管理機能と、会員を識別する会員ＩＤに対応付けて、当該会員が罹患している疾患の種類、当該会員のメールアドレス、当該会員が住む地域、および、会員が配送を希望する医薬品又は医療用具を記憶する会員管理機能と、会員が住む地域の気象条件を気象予報サーバから取得し、予測条件管理機能により記憶されている予測式と気象条件とを用いて、疾患の症状レベルを算出する症状予測機能と、休日診療又は夜間診療を行う医療機関を地域、診療予定日および医療機関のメールアドレスに対応付けて格納している休日・夜間医療機関管理機能と、症状予測機能により算出された症状レベルが予め定められた注意レベル以上である場合に、該当する疾患に対応付けられている会員ＩＤ及びメールアドレスを抽出し、当該メールアドレス宛に、会員の疾患に関する症状が悪化するリスクが高まった旨の健康注意報を送信し、かつ、会員管理機能から抽出した地域と現在の日付に基づき、会員が住む地域において今後一定期間内における休日診療又は夜間診療を行う医療機関を休日・夜間医療機関管理機能から読み出し、読み出した医療機関を健康注意報とともに、会員のメールアドレス及び医療機関のメールアドレス宛に送信する健康注意報発信機能とをコンピュータに実現させる。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、本発明の一実施形態にかかるバイオウェザー・システム１００のシステム構成の一例を示す。バイオウェザー・システム１００は、本発明の疾患症状予測システムの一例であり、地域別の気象予報を提供する気象予報サーバ１０と、気象予報に基づいて疾患毎の症状レベルを予測し、症状レベルの悪化が予測される会員に健康注意報を送信するバイオウェザー・サーバ５０と、会員の電子カルテを管理している医療機関サーバ２０と、会員にする医薬品又は医療用具の配送指示を受信して表示する配送センター端末３０と、会員宛の健康注意報を表示する会員端末４０とを備える。
【００１４】
気象予報サーバ１０は、例えば気象予報を提供する気象情報提供会社によって運用・管理される。バイオウェザー・サーバ５０は、例えば本発明によって実現される疾患症状予測サービスの提供会社によって運用・管理される。医療機関サーバ２０は、例えば会員がかかり付けている地域医療機関によって運用・管理される。配送センター端末３０は、例えば会員宛に医薬品又は医療用具の配送を行う医薬品配送センターにおいて利用される。会員端末４０は、会員宛の電子メールを受信及び表示できれる情報端末であればよく、パーソナルコンピュータ以外に、携帯電話などの携帯情報端末であってもよい。
【００１５】
バイオウェザー・サーバ５０は、会員に関する健康注意報を医療機関サーバ２０にも送信する。医療機関サーバ２０は、健康注意報に基づいて会員に受診案内を送信し、当該会員のカルテを診察用端末２２に配信することにより、会員の受診に備える。また、バイオウェザー・サーバ５０は、会員が希望する医薬品又は医療用具の配送指示を配送センター端末３０に送信する。医薬品配送センターは、配送センター端末３０に表示される配送指示に従って、会員に医薬品又は医療用具を配送する。
【００１６】
以上のように構成されたバイオウェザー・システム１００によれば、気象に応じて変化する健康状態を予測し、会員の疾患に応じた健康注意報を会員宛に提供することができる。
【００１７】
図２は、本発明の疾患症状予測サーバの一例である、バイオウェザー・サーバ５０の機能構成を示す。バイオウェザー・サーバ５０は、データベースとして、気象条件の影響を受ける疾患の種類に対応付けて、気象条件から疾患の症状レベルを算出する予測式を記憶している予測条件データベース５４と、会員を識別する会員ＩＤに対応付けて、当該会員が罹患している疾患の種類と当該会員のメールアドレスとを記憶している会員データベース５８とを有する。
【００１８】
バイオウェザー・サーバ５０はさらに、機能部として、気象条件を気象予報サーバ１０から取得し、予測条件データベース５４に記憶されている予測式と気象条件とを用いて、疾患の症状レベルを算出する症状予測部５２と、算出された症状レベルが予め定められた注意レベル以上である場合に、該当する疾患に対応付けられている会員ＩＤ及びメールアドレスを会員データベース５８から抽出し、当該メールアドレス宛に、会員の疾患に関する症状が悪化するリスクが高まった旨の健康注意報を送信する健康注意報発信部５６と、休日診療又は夜間診療を行う医療機関を地域及び診療予定日に対応付けて格納している休日・夜間医療機関データベース６２とを有する。
【００１９】
以上の構成により、バイオウェザー・サーバ５０は、気象の変化による症状レベルの悪化を予測し、会員の疾患に応じた健康注意報を的確なタイミングで会員宛に提供することができる。
【００２０】
バイオウェザー・サーバ５０は、機能部として更に、会員の症状レベルの悪化が予測される場合に会員宛に配送すべく事前に登録された、医薬品又は医療用具の配送指示を配送センター端末３０に送信する配送管理部６０を有する。これにより、バイオウェザー・サーバ５０は、会員の疾患レベルの悪化に備えて必要な医薬品及び医療用具を、会員に対して配送すべく手配することができる。
【００２１】
記録媒体３００ａは、前述の症状予測部５２、予測条件データベース５４、注意報発信部５６、会員データベース５８、及び配送管理部６０の機能をバイオウェザー・サーバ５０に実現させるプログラムを格納している。記録媒体３００ａは、そのようなプログラムをネットワーク経由で取得してもよい。
【００２２】
図３は、医療機関サーバ２０の機能構成を示す。医療機関サーバ２０は、会員ＩＤに対応付けて、当該会員の電子カルテを格納している患者データベース２６を有する。さらに機能部として、バイオウェザー・サーバ５０から受信する健康注意報の対象である会員のメールアドレス宛に、当該医療機関の受診案内を送信する患者情報出力部２４を有する。患者情報出力部２４はさらに、健康注意報に対応付けられている会員ＩＤを検索キーとして、患者データベース２６から電子カルテを読み出し、診察に利用される診察用端末２２に当該電子カルテを配信する。
【００２３】
記録媒体３００ｂは、前述の患者情報出力部２４及び患者データベース２６の機能を医療機関サーバ２０に実現させるプログラムを格納している。記録媒体３００ｂは、そのようなプログラムをネットワーク経由で取得してもよい。
【００２４】
図４は、予測条件データベース５４のデータフォーマットの一例を示す。予測条件データベース５４は、気象条件の影響を受ける疾患の種類に対応付けて、気象条件から疾患の症状レベルを算出する症状レベル予測式（Ｆ１、Ｆ２、・・・、Ｆ５、・）を記憶している。症状レベル予測式はそれぞれ、対応する疾患の種類に応じて、気圧、気温、湿度などの複数のパラメータを含む。当該予測式は、気象・気候の条件が生体に及ぼす直接、間接の影響を研究する「生気象学」に基づいて設定される。
【００２５】
図５は、会員データベース５８のデータフォーマットの一例を示す。会員データベース５８は、会員を識別する会員ＩＤに対応付けて、会員が住む地域と、会員のメールアドレス（以下、会員アドレス）と、会員の電子カルテを管理している医療機関サーバ２０のメールアドレス（以下、医療機関アドレス）と、会員が罹患している疾患の種類と、会員が配送を希望する医薬品又は医療用具とを記憶している。本実施例において、会員データベース５８に記憶される医薬品又は医療用具は、会員により事前に登録されるが、これに代えて、疾患の種類に応じて一般に必要とされる医薬品又は医療用具を一律に記憶していてもよい。
【００２６】
また、会員データベース５８は、一つの会員ＩＤに対して、複数種類の疾患を対応付けて記憶していてもよい。この場合注意報発信部５６は、疾患の種類を検索キーとして、会員ＩＤ、地域、会員アドレス、医療機関アドレス、及び医薬品・医療用具を読み出すことができる。
【００２７】
図６は、患者データベース２６のデータフォーマットの一例を示す。患者データベース２６は、会員ＩＤに対応付けて、当該会員の電子カルテを格納している。また、患者データベース２６は、一つの会員ＩＤに対して、複数種類の疾患を対応付けて記憶していてもよい。この場合、電子カルテは疾患の種類毎に分かれていてもよい。患者情報出力部２４は、会員ＩＤ及び疾患の種類を検索キーとして、電子カルテを読み出すことができる。
【００２８】
図７は、バイオウェザー・サーバ５０が会員に健康注意報を送信する手順を示す。まず、症状予測部５２は、会員データベース５８に格納されている、会員が住む地域別の気象予報を気象予報サーバ１０から取得する（Ｓ１０）。気象予報は、前述の症状レベル予測式のパラメータである各種気象条件を含んでいる。次に、症状予測部５２は、予測条件データベース５４に記憶されている症状レベル予測式と、気象条件とを用いて、疾患別の症状レベルを算出する（Ｓ１２）。症状レベルは、例えば、症状が出ないか、最も軽いと予測されるレベル０から、症状が最も重いと予測されるレベル３までの４段階である。
【００２９】
注意報発信部５６は、ステップ１２において算出された症状レベルが、予め定められた注意レベル以上であるか否かを判断する（Ｓ１４）。注意レベルは、例えば前述のレベル０からレベル３までのうちの、レベル２である。症状レベルが、注意レベル以上であると判断した場合（Ｓ１４：Ｙｅｓ）、注意報発信部５６は、地域及び疾患の種類を検索キーとして、会員データベース５８から、会員ＩＤ、会員アドレス、医療機関アドレス、及び医薬品・医療用具を抽出する（Ｓ１６）。注意報発信部５６はさらに、会員データベース５８から抽出した地域と現在の日付に基づき、会員が住む地域において、今後一定期間内、例えば１週間内における休日診療及び夜間診療を実施する医療機関を読み出す。一方、ステップ１４において、症状レベルが注意レベル以上でないと判断した場合（Ｓ１４：Ｎｏ）、ステップ１８に進む。
【００３０】
次に、注意報発信部５６は、予測条件データベース５４に格納されている全疾患について、症状レベルの算出が実行されたか否かを判断する（Ｓ１８）。全疾患についての症状レベルの算出が実行されていないと判断した場合（Ｓ１８：Ｎｏ）、ステップ１２に戻り、他の疾患についての症状レベルの算出を行う。一方、全疾患について、症状レベルの算出が実行されたと判断した場合（Ｓ１８：Ｙｅｓ）、次に会員データベース５８に格納されている全地域について、全疾患についての症状レベル算出が実行されたか否かを判断する（Ｓ２０）。ステップ２０に於いて、全地域についての疾患の症状レベル算出が実行されたと判断すると（Ｓ２０：Ｙｅｓ）、ステップ２２に進む。一方、ステップ２０に於いて、全地域についての疾患の症状レベル算出が実行されていないと判断すると（Ｓ２０：Ｎｏ）、ステップ１０に戻り、他の地域についての気象予報を取得する。
【００３１】
次に、注意報発信部５６は、症状レベルが注意レベル以上であると判断された疾患に関して、ステップ１６で抽出した会員の当該疾患に関する症状が悪化するリスクが高まった旨を通知する健康注意報と、会員が住む地域において、今後一定期間内に休日診療及び夜間診療を実施する医療機関とを、会員アドレス及び医療機関アドレス宛に送信する（Ｓ２２）。次に、配送管理部６０は、ステップ１６で注意報発信部５６が抽出した医薬品及び医療用具の配送を希望するか否かを確認する配送確認メッセージを、会員アドレス宛に送信する（Ｓ２４）。なお、配送確認メッセージは、ステップ２２における健康注意報に含まれていてもよい。
【００３２】
次に、配送管理部６０は、会員から医薬品及び医療用具の配送申し込みを受診したか否かを判断する（Ｓ２６）。ステップ２６において、配送申し込みを受信したと判断した場合（Ｓ２６：Ｙｅｓ）、配送管理部６０は、当該配送申し込みに含まれる医薬品及び医療用具の配送指示を配送センター端末３０に送信する（Ｓ２８）。当該配送指示には、会員ＩＤ、届け先の住所、配送すべき物品及びその数量が少なくとも含まれる。一方、ステップ２６において、配送申し込みを受信しなかったと判断した場合（Ｓ２６：Ｎｏ）、ステップ２８をスキップする。以上で本フローは終了する。
【００３３】
なお、注意レベルは、会員毎に個別に設定してもよい。会員は、会員端末４０を通じて注意レベルを設定することができる。この場合、注意報発信部５６は、症状予測部５２が算出した症状レベルと会員毎の注意レベルを比較し、症状レベルが注意レベルに達している会員に対して、前述の健康注意報を送信する。これにより、同様の気象条件でも症状の個人差が大きい疾患について、会員毎に適した疾患レベルで健康注意報を送信することができる。
【００３４】
図８は、医療機関サーバ２０が会員の受診受け入れを準備する手順を示す。まず、患者情報出力部２４は、バイオウェザー・サーバ５０から健康注意報を受信する（Ｓ５０）。次に、健康注意報に含まれる、あるいは対応付けられている会員ＩＤ及び疾患の種類に基づいて、当該会員のアドレス宛に、当該疾患の受診案内を送信する（Ｓ５２）。当該受診案内には、医療機関の受診予約をオンラインで申し込むサイトのＵＲＬが記述されている。医療機関サーバ２０はそのようなサイトにより、会員の受診予約を受け付ける。
【００３５】
次に、患者情報出力部２４は、会員ＩＤ及び疾患の種類を検索キーとして、患者データベース２６から電子カルテを抽出し、診察用端末２２に配信する（Ｓ５４）。医者は診察用端末２２に配信される会員の電子カルテを確認して、会員の症状を緩和する薬の処方箋データを作成し、診察用端末２２に入力することができる。医療機関サーバ２０は、診察用端末２２に入力された処方箋データを、薬剤部の端末に転送する。以上で本フローは終了する。
【００３６】
以上の動作により、医療機関サーバ２０は、症状の悪化が予測される疾患について、会員に受診案内を送信し、診察用端末２２に電子カルテを配信する。従って、医療機関は、当該症状についての会員の受診受け入れを準備することができる。
【００３７】
図９は、会員端末４０が表示する健康注意報の一例を示す。本例における健康注意報は、医薬品及び医療用具の配送確認を含む。健康注意報は、気象により症状の悪化が予測される疾患の種類、症状が悪化する時期、症状レベル、及び症状を緩和する対策などが含まれる。症状が悪化する時期は、一日のうちの時間帯まで表示されていてもよい。
【００３８】
以上の説明から明らかなように、本実施形態のバイオウェザー・システム１００によれば、気象に応じて変化する健康状態を予測し、会員の疾患に応じた健康注意報を的確なタイミングで会員宛に提供することができる。
【００３９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４０】
【図１】バイオウェザー・システム１００のシステム構成の一例を示す図である。
【図２】バイオウェザー・サーバ５０の機能構成を示すブロック図である。
【図３】医療機関サーバ２０の機能構成を示すブロック図である。
【図４】予測条件データベース５４のデータフォーマットの一例を示す。
【図５】会員データベース５８のデータフォーマットの一例を示す。
【図６】患者データベース２６のデータフォーマットの一例を示す。
【図７】バイオウェザー・サーバ５０が会員に健康注意報を送信する手順を示すフローチャートである。
【図８】医療機関サーバ２０が会員の受診受け入れを準備する手順を示すフローチャートである。
【図９】会員端末４０が表示する健康注意報の一例を示す。
【符号の説明】
【００４１】
１０  気象予報サーバ、２０  医療機関サーバ、２２  診察用端末、２４  患者情報出力部、２６  患者データベース、３０  配送センター端末、４０  会員端末、５０  バイオウェザー・サーバ、５２  症状予測部、５４  予測条件データベース、５６  注意報発信部、５８  会員データベース、６０  配送管理部、６２  休日・夜間医療機関データベース、１００  バイオウェザー・システム、３００  記録媒体
【図１】
2005063456.tif 000003
【図２】
2005063456.tif 000004
【図３】
2005063456.tif 000005
【図４】
2005063456.tif 000006
【図５】
2005063456.tif 000007
【図６】
2005063456.tif 000008
【図７】
2005063456.tif 000009
【図８】
2005063456.tif 000010
【図９】
2005063456.tif 000011